(57)【要約】      （修正有）【課題】力の相殺という命題を克服した機関の提供。【解決手段】チエーン歯車は通常噛み合うが、これを図１の様に噛み込んだ後、４の位置ぐらい迄Ｒ付けし、１４の負荷点で加重すると歯車１２の半径：加重点のテコ作用による驚異的な力が生み出せる。此でチエーン付、コ型フレームと押付け固定具のチエーンの棒状による４の曲り形成のためにも重要になると共に負荷点での高低差を解消になる。尚押付固定具の１段目の噛み合わせは、クリアランス大である。ここで要である曲り形成には、簿刃、厚刃で噛み合って１段目は外部ストッパー止めし、次に２段目から直線にする。段付けポイントはコ型フレーム、押付固定具の仕組による。押付固定具は、左右を中心をピンでの折曲式となる。これをコ型フレームに嵌め込む事でチエーンを棒の様に出来る。【選択図】図１
2014194269.tif 000002
【特許請求の範囲】
【請求項１】
連結用チエーンを棒状テコ作用として支点となる定点附近で上方に角度付けをするためにチエーンにコ型フレーム、（雌部）及び押付固定具（雄部）を設け、これを噛み合せ、チエーンを棒状にして直線で負荷点迄移動し、加重を掛けテコの作用にて、回転を生み出し、これの連続作用で動力を生み出す機構である。
【発明の詳細な説明】
【技術分野】
【０００１】この発明は、主チエーンの両側に、コ型フレームを溶接した物を配し（チエーンと一体物構造でも可）。これに於いて、チエーンを定点より棒状にした状態で負荷位置迄で連動して、定位置で荷重を掛けることによりテコの作用により動力を発生させるもの。
【背景技術】
【０００２】（イ）まず動力源としての、チエーン棒テコ式自動機としての動力機は今日迄でなかった。
（ロ）ＩＰＣ分類、Ｆ０３の内で、２００１−００３８４８、及び２００８−０３１９７５等では、チエーンを利用してはいるが動力を生み出すための主な働きには利用されてはおらず、しかも、これまでの発明は、力の相殺されてしまうのが殆どである
【発明を解決しようとする課題】
【０００３】過去、現代に於いては勿論の事、エネルギーの調達には、大気汚染や、オゾン層の破壊、自然景観の破壊等、思わぬ弊害を引き起した、さらには、原発問題に致っては計り知れない問題が起きてしまっている。これらを解決しょうと、現在、地熱、風力、太陽光、波水力等が注目されているのが現状。又、これらをも打破しようとしているのが永久運動にも等しい機関の発明であるが、現在に致る迄の諸々の出品は、ことごとく実用不可の物が多いのが実状である。
これを正しく、実利有る物にしなければならない。
【課題を解決する手段】
【０００４】まず動力を生み出すしくみは、側面からみた２図に於いて、歯車１の方向の回転によって引けば歯車２に噛み合うのが通常ですが、これを図１の様に３の位置から４の位置迄、又、５の位置から６、の位置迄は、一直線で、一部曲りが有る棒の状態にして、負荷点７、に連動し、ここで加重を掛ける事によって１２の歯車を支点とするテコ作用が生まれ、これらが回転す事により持続的な動力が生れる、又、本件の要であるコ型フレームの曲りの強弱造成にはコ型フレームの１０、１１、の噛み合せにより１６、１７、及び８、９、のごとくチエーン、即ちコ型フレームの曲りを矯正する事になる
又、コ型フレーム及び、押付固定具には、丸棒及びパイプを使用しての代用でも可とする。
【発明を実施するための形態】
【０００５】本件の要であるチエーンが直線（一部曲線）に移動するためには、４図下の仕組のものを上図及び３図に嵌め込んで、５図の１０、１１が噛み合って、ぴったりした状態でこれを周回分両側に配しているのでチエーン自体が棒状になります。１２の歯車は、４附近の曲りの様に１２の歯車から離れる形になりこれを伸張して負荷点で加重すればテコ作用により１２、の歯車の半径：負荷点長１４に比例した力が生れる。
又、歯車１２からの負荷点迄、よりスムーズにエネルギーを引出すために４の位置附近迄、曲りを入れるための、３図の仕組みと４図の工夫を入れた、４図上は、チエーンの両側にコ型フレーム及び押付固定具（チエーンに直線的機能を持たせるため）を設け、これを２段噛み合せとする。まず８の簿刃をコ型の９に嵌め込み、５図の１１を２１迄嵌め込んだ状態で、クリアランス（大）２１の位置で、外側フレーム（回転機構外）に取付たストッパーで加減止めし、１図の４附近迄作動し、５の位置附近から９の厚刃部、ここに２段目を押付固定具で押し、（２個所目押し）負荷点７、の歯車で加重を掛ける。尚負荷後の押付固定具は、図表してないが、押付固定具の軸ピン２０、のボルト長さを上、下、伸長させ、これに外部よりの固定突起物で接触させ解放する。尚押付固定具の押出し、及び解放の仕組は単純なもので良いので図表してないが回転部以外の外部フレーム等より、スライド弁。ベアリング付きの押し、及び磁石の吸引、反発利用などが考えられる。
【発明の効果】
【０００６】永久機関に関する、従来の事件は多数見聞したが、すべて、力の相殺が判明するものが多く、中にはこれは、必見と思われるものも有るが、それらも、現代の必要とされるエネルギーを生み出すためには、莫大な規模の構造のものを製作しても、ほんの僅かのエネルギーを得る事しか出来ないものばかりである。しかし本件の発明では、エネルギーのロスが無くしかも、本件は、定点に負荷すれば即、定点より歯車の半径対負荷点長に比例する、力が取り出せる。しかも本件の機構は多用途、多機能である。すなわち、ガソリンエンの代用動力、及び大小発電機あるいわ、トータル電力エネルギーに致る迄幅広く、利用可能である事。
【図面の簡単な説明】
【０００７】１、２、７、１２、――――――歯車
３、８、５、１３、１９、―――押付け固定具
４、１０、１８――――――――コ型フレーム
３、４、他――――――――――１９のごとくにコ型フレーム内に押付固定具をチエーン                              全周に設ける
１６、―――１６を、１５のライン迄セットし、又、これを起した図が１９の押付固定具            である
１１、―――押付固定具の部品拡大平面図である
６、――――コ型フレームからチエーンの一部をすかし見た所
９、――――押付固定具の簿刃部と厚刃部。
１４、―――負荷点
１７、―――押付固定具の外部よりの押点
２０、―――軸ピン
２１、―――押付固定具の１段目ライン
【図１】
2014194269.tif 000003
【図２】
2014194269.tif 000004
【図３】
2014194269.tif 000005
【図４】
2014194269.tif 000006
【図５】
2014194269.tif 000007
【手続補正書】
【提出日】平成25年7月10日(2013.7.10)
【手続補正２】
【補正対象書類名】明細書
【補正対象項目名】全文
【補正方法】変更
【補正の内容】
【発明の詳細な説明】
【技術分野】
【０００１】この発明は、主チエーンの両側に、コ型フレームを溶接した物を配し（チエーンと一体物構造でも可）。
これに於いて、チエーンを定点より棒状にした状態で負荷位置迄で連動して、定位置で荷動を掛けることによりテコの作用により動力を発生させるもの。
【背景技術】
【０００２】（イ）まず動力源としての、チエーン棒テコ式自動機としての動力機は今日迄なかった。
（ロ）ＩＰＣ分類、Ｆ０３の内で、２００１−００３８４８及び２００８−０３１９７５等では、チエーンを利用してはいるが、動力を生み出すための主な働きには利用されてはおらず、しかも、これまでの発明は、力が相殺されてしまうのが殆どである。
【発明を解決しようとする課題】
【０００３】過去、現代に於いては、勿論の事、エネルギーの調達には大気汚染や、オゾン層の破壊、自然景観の破壊等思わぬ弊害を引き起した、さらには、原発問題に致っては、計り知れない問題が起きてしまっている、これらを解決しようと現在、地熱、風力、太陽光、波水力等が注力されているのが現状、又、これらをも、打破しようとしているのが永久運動にも等しい機関の発明であるが、現在に致る迄の諸々の出品は、ことごとく実用不可の物が多いのが実状である、これを正しく実利有る物にしなければならない。
【課題を解決する手段】
【０００４】まず動力を生み出すしくみは、側面から見た２図に於いて常識的に、歯車１の方向の回転によって引張れば歯車２に噛み合うのが通常ですが、これを、図１の様に３の位置から４の位置迄、又、５の位置から６位置迄は、一直線で、一部曲りの有る棒の状態にして、負荷点７に連動し、ここで負荷点７、に加重を掛ける事によって、１２の歯車を支点とする、テコ作用が生まれる、又本件の要であるコ型フレームの曲りの強弱造成には、コ型フレームの１０、１１、の噛み合せにより１６、１７、及び８、９、のごとくチエーン、即ちコ型フレームの曲りを矯正する事になる。
又、コ型フレーム及び、押付固定具には、丸棒及びパイプ材を使用しての代用も可とする。
【発明を実施するための形態】
【０００５】本件の要であるチエーンが直線（一部曲線）に移動するためには、４図下の仕組のものを上図及び３図に嵌め込んで、５図の１０、１１が噛み合って、ぴったりした状態でこれを周回分両側に配しているのでチエーン自体が棒状になります。１２の歯車は、４附近の曲りの様に１２の歯車から離れる形になりこれを伸張して負荷点で加重すればテコ作用により１２、の歯車の半径：負荷点長１４に比例した力が生れる。
又、歯車１２からの負荷点迄、よりスムーズにエネルギーを引出すために４の位置附近迄、曲りを入れるための３図の仕組みと４図の工夫を入れた、４図上は、チエーンの両側にコ型フレーム、及び押付固定具（チエーンに直線的機能を持たせるため）を設け、これを２段噛み合せとする。まず８の簿刃をコ型の９に嵌め込み、５図の１１を２１迄嵌め込んだ状態で、クリアランス（大）２１の位置で、外側フレーム（回転機構外）に取付たストッパーで加減止めし、１図の４附近迄作動し、５の位置附近から９の厚刃部、ここに２段目を押付固定具で押し、（２個所目押し）負荷点７、の歯車で加重を掛ける。尚負荷後の、押付固定具は図表していないが、押付固定具の軸ピン２０、のボルト長さを上、下、伸長させ、これに外部よりの固定突起物で接触させ解放する。尚押付固定具の押出し、及び解放の仕組は単純なもので良いので図表していないが回転部以外の外部フレーム等より、スライド弁。ベアリング付きの押し、及び磁石の吸引、反発利用などが考えられる。
【発明の効果】
【０００６】永久機関に関する従来の事件は多数見聞したが、すべて力の相殺が判明するものが多く、中にはこれが必見と思われるものも有るが、それらも、現代の必要とされる、エネルギーを生み出すためには莫大な規模の構造のものを製作しても、ほんの僅かのエネルギーを得る事しか出来ないものばかりである。しかし本件の発明は、エネルギーのロスが無くしかも、本件は定点に負荷すれば即、定点より歯車の半径対負荷点長に比例する、力が取り出せる。しかも本件の機構は多用途、多機能である、すなわち、ガソリンの代用動力、大小発電機、あるいわ、トータル電力エネルギーに致る迄幅広く、利用可能である。
【図面の簡単な説明】
【０００７】
【図１】側面図で本体の主要可動部の一部リング状チエーンの一部でチエーンの両外にコ型状の部品（コ型フレーム）を溶接施工したもの。
【図２】側面図で、通常の歯車にチエーンが噛み合う状態を図指したもので、矢印の方向に回転したチエーンの噛む位置を示す、コ型フレームを透かし見たところ。
【図３】側面図で、当図に少々不具合はあるがコ型フレーム（雌）状の型に押付固定具なる（雄）状の型のものが噛み合った所で、それの側面図である（チエーンはあえて表示しない）
【図４】上面図で図面の表現に不具合はあるが、押付固定具の２段噛み合せの１段目無色部、２段目が斜線部である。
【図５】上面図で、上図のコ型フレーム（雌）部に、下図の押付固定具（雄）部が１段噛み合せ時に２１のライン迄噛み合う。
【符号の説明】
【０００８】１、２、７、１２、――――――歯車
３、８、５、１３、１９、―――押付固定具
４、１０、１８、―――――――コ型フレーム
３、４、他――――――――――１９のごとくに、コ型フレーム内に押付固定具をチエーン全周に設ける、
１６、―――１６を１５のライン迄セットし、又、これを起した図が、１９の押付固定具である、
１１、―――押付固定具の部品拡大平面図である、
６、――――コ型フレームからチエーン一部を透し見た所
９、――――押付固定具の簿刃部と厚刃部
１４、―――負荷点
１７、―――押付固定具の外部よりの押点
２０、―――軸ピン
２１、―――押付固定具の１段目ライン。